(57)【要約】      （修正有）【課題】刀剣を刀剣止着具を介して刀剣掛け台に対してしっかりと固定して、たとえ地震等の大きな振動等が刀剣掛け台に作用するときにも、刀剣の倒れや脱落、さらには、刀剣への傷与や破損を防止する。【解決手段】本発明は、縦板２２に刀剣受け部２３を凹設した刀剣掛け台２０に用いられ、その刀剣受け部２３刀剣Ｓを止着するためのものであり、上記刀剣受け部２３に載せ掛ける刀剣Ｓを受ける刀剣受体と、この刀剣受体を縦板２２に固定するための受体固定手段と、その刀剣受体に刀剣Ｓを止着するための刀剣止着手段５０とを有している。【選択図】図１
2011245219.tif 000002
【特許請求の範囲】
【請求項１】
縦板に刀剣受け部を凹設した刀剣掛け台に用いられ、その刀剣受け部に刀剣を止着するための刀剣止着具であって、
上記刀剣受け部に載せ掛ける刀剣を受ける刀剣受体と、この刀剣受体を縦板に固定するための受体固定手段と、その刀剣受体に刀剣を止着するための刀剣止着手段とを有することを特徴とする刀剣止着具。
【請求項２】
刀剣受体が刀剣受け部の内壁面に沿う形状に成形されていることを特徴とする請求項１に記載の刀剣止着具。
【請求項３】
刀剣受体が、刀剣受け部の内壁面に沿う略Ｕ字形に形成されており、
その刀剣受体の両開放端部の一方に、刀剣を刀剣受体に止着しかつ刀剣受体を縦板に固定するための止着固定用紐の一端部を連結するための紐連結片が突設されているとともに、その開放端部の他方に、刀剣受体を縦板に固定するために、その止着固定用紐の他端部をガイドする紐ガイド片が突設されており、
その止着固定用紐の他端部側に、紐ガイド片から他端部に至る止着固定用紐の一部分を縦板に巻き回して緊縛固定するための紐ストッパが設けられていることを特徴とする請求項１又は２に記載の刀剣止着具。
【請求項４】
刀剣に当接して止着するための刀剣当接片部が止着固定用紐の中間部に挿通されていることを特徴とする請求項１〜３のいずれか１項に記載の刀剣止着具。
【請求項５】
刀剣受体の内壁面に、刃身を保護するためのシーラントが配設されていることを特徴とする請求項１〜４のいずれか１項に記載の刀剣止着具。
【請求項６】
刀剣当接片部の刀身との当接面に、刃身を保護するためのシーラントが配設されていることを特徴とする請求項４又は５に記載の刀剣止着具。
【請求項７】
刀剣受体が熱可塑性の材質で形成されていることを特徴とする請求項１〜５のいずれか１項に記載の刀剣止着具。
【請求項８】
刀剣受体、受体固定手段及び刀身止着手段を一体的に形成していることを特徴とする請求項１〜６のいずれか１項に記載の刀剣止着具。
【発明の詳細な説明】
【技術分野】
【０００１】
本発明は、例えば日本刀等の刀剣を刀剣掛け台に掛け置いて展示する際に使用する刀剣掛け台に用いる刀剣止着具に関する。
【背景技術】
【０００２】
刀剣を展示する際に使用する刀剣掛け台として、特許文献１に開示された構造のものがある。図９は、特許文献１に開示された刀剣掛け台の側面図である。
図９に示す刀剣掛け台１０は、左右一対の縦板１，１を有し、これら各縦板１，１の同高さ位置に刀２を横向き姿勢で載せ掛け得る刀受け部３，３を設けたものである。
上記各刀受け部３，３は、奥行き方向に所定長さを有する底面４，４と、奥端に背凭れ面５，５を有しているとともに、前記各刀受け部３，３の底面４，４に、奥行き方向に小間隔をもって刀２の刃先又は峰部２ａを係止させる複数の凹部４ａ，４ａ、…を形成したものである。
【先行技術文献】
【特許文献】
【０００３】
【特許文献１】特開２００３‐１２５９０７号公報
【発明の概要】
【発明が解決しようとする課題】
【０００４】
しかしながら、特許文献１に開示された構成のものでは、峰部を凹部４ａを係止して背凭れ面５に刃先を凭れ掛けさせているにすぎず、刀剣掛け台１０に地震等の大きな振動が加えらたり人が衝接した場合には、刀２が背凭れ面５から離反し、また、凹部４ａから峰部が外れて倒れ、刀身への傷与や刀２が刀受け部３から脱落して破損する虞がある。
【０００５】
さらには、刀２を刀受け部３に直接当接させているので刀受け部３も損傷する蓋然性が高いため、通常では、綿等のクッション材を介して刀２を刀受け部３に載せ掛けており、この場合には、刀受け部３に対し刀２を所要の姿勢で載せ掛けておくことが難しい。
【０００６】
そこで本発明は、刀剣をしっかりと刀剣掛け台に止着して、たとえ振動等が刀剣掛け台に作用するときにも、刀剣の倒れや脱落を防いで、刀剣への傷与や破損を防止できる刀剣掛け台に用いる刀剣止着具の提供を目的としている。
【課題を解決するための手段】
【０００７】
上記課題を解決するための刀剣掛け台に用いる刀剣止着具は、縦板に刀剣受け部を凹設した刀剣掛け台に用いられ、その刀剣受け部に、これに載せ掛けた刀剣を押止するためのものであり、上記刀剣受け部に載せ掛ける刀剣を受ける刀剣受体と、この刀剣受体を縦板に固定するための受体固定手段と、その刀剣受体に刀剣を止着するための刀剣止着手段とを有することを特徴としている。
この構成では、上記刀剣受け部に受体固定手段によって刀剣受体を固定しておき、その固定した刀剣受体に刀剣を所望の起立姿勢にして載せ掛け、その姿勢のまま刀剣止着手段で止着する。
【発明の効果】
【０００８】
本発明によれば、刀剣を刀剣止着具を介して刀剣掛け台に対してしっかりと固定して、たとえ地震等の大きな振動等が刀剣掛け台に作用するときにも、刀剣の倒れや脱落を防ぐことができる。
また、刀剣の倒れや脱落を防ぐことができることから、刀剣への傷与や破損を防止できる。
【図面の簡単な説明】
【０００９】
【図１】本発明の第一の実施形態に係る刀剣止着具を介して刀剣掛け台に刀剣を固定した様子を示す側面図である。
【図２】同上の正面図である。
【図３】図１に包囲線Ｉで示す部分の拡大図である。
【図４】（Ａ）は本発明の第一の実施形態に係る刀剣止着具の一部をなす刀剣受体の側面図、（Ｂ）は、その正面図である。
【図５】（Ａ）は、同上の刀剣止着具の一部をなす一例に係る刀身当ての側面図、（Ｂ）は、その正面図である。
【図６】刀身当てと紐ストッパとを止着固定用紐に挿通した様子を示す平面図である。
【図７】（Ａ）は、本発明の第二の実施形態に係る刀剣止着具の側面図、（Ｂ）は、その正面図である。
【図８】（Ａ）は、一例に係る変形防止部材の側面図、（Ｂ）は、その正面図、（Ｃ）は、その変形防止部材を刀剣受体に装着した状態を示す側面図、（Ｄ）は、その正面図である。
【図９】特許文献１に開示された刀剣掛け台の側面図である。
【発明を実施するための形態】
【００１０】
以下に、本発明を実施するための形態について、図面を参照して説明する。図１は、本発明の第一の実施形態に係る刀剣止着具を介して刀剣掛け台に刀剣を固定した様子を示す側面図、図２は、その正面図である。また、図３は、図１に包囲線Ｉで示す部分の拡大図である。
【００１１】
まず、本発明の第一の実施形態に係る刀剣止着具Ａ１の説明に先立ち、一般的な刀剣掛け台２０について説明する。
図１，２に示す刀剣掛け台２０は木製のものであり、これに載せ掛ける刀剣Ｓの長さに対応して形成した連結板２１の両端部に、２つの縦板２２，２２の基端部を連結したものである。
【００１２】
縦板２２，２２には、これの上端部に刀剣受け部２３，２３が、また、中段部に刀剣受け部２４，２４がそれぞれ配設されているとともに、基端部には直方体形の基台２５，２５が固定されている。
【００１３】
刀剣受け部２３，２３は、図１，３に示すように、側面視において略Ｕ字形の凹部として形成されている。
刀剣受け部２３，２３の内周壁面２３ａ，２３ａの開口の幅寸法Ｗ１は、刀剣Ｓの刀身Ｓ１を収める鞘（図示しない）を載せ掛けることができる値に設定されている。
【００１４】
刀剣受け部２４，２４は、側面視において略Ｊ字形の凹部として形成されており、図１に示すように、これの開口の幅寸法Ｗ２は、刀身Ｓ１を収める鞘（図示しない）を載せ掛けることができる値に設定されていることは、上記刀剣受け部２３，２３と同様である。
【００１５】
要約すると、刀剣受け部２３，２３（２４，２４）は、縦板２２，２２のそれぞれ互いに同じ高さ位置に刀剣Ｓの鞘（図示しない）を横向き姿勢にして載せ掛けられる幅と深さにして形成されている。
そして、例えば展示会等においては、例えば刀剣受け部２３，２３に刀剣Ｓを、また、刀剣受け部２４，２４に鞘（図示しない）等を載せ掛けた姿勢にしての展示を行なうようにしている。
【００１６】
なお、本発明の第一の実施形態に係る刀剣止着具Ａ１は、上記した図１〜３において示すような形態の刀剣受け部２３，２３（２４，２４）に限るものではなく、刀剣受け部の形態に寄らず適用できるものであることは以下に説明するとおりであるが、本実施形態においては、刀身Ｓ１を刀剣受け部２３，２３に載せ掛けて止着する場合について説明する。
【００１７】
図４（Ａ）は本発明の第一の実施形態に係る刀剣止着具Ａ１の一部をなす刀剣受体の側面図、（Ｂ）は、その正面図、図５（Ａ）は、その刀剣止着具Ａ１の一部をなす一例に係る刀身当ての側面図、（Ｂ）は、その正面図である。
【００１８】
刀剣止着具Ａ１は、上記刀剣受け部２３，２３に載せ掛ける刀剣Ｓの刀身Ｓ１を受ける刀剣受体３０と、この刀剣受体３０を縦板２２，２２に固定するための受体固定手段４０と、その刀剣受体３０に刀身Ｓ１を止着するための刀身止着手段５０とを有している。
【００１９】
本実施形態においては、後述する止着固定用紐Ｈ、紐連結片３２，３２、紐ガイド片３３，３３、刀身当て６０及び紐ストッパ７０により受体固定手段４０を構成し、それらとともに受け本体３１によって刀身止着手段５０を構成している。
【００２０】
刀剣受体３０は、受け本体３１、紐連結片３２，３２及び紐ガイド片３３，３３を、例えば塩化ビニール等の熱可塑性樹脂により一体に形成したものである。
受け本体３１は、上記した刀剣受け部２３の内壁面２３ａの形状に一致した側面視において略Ｕ字形にし、かつ、縦板２２の厚みとほぼ一致する幅Ｗ３（図４参照）にして形成されている。
【００２１】
このような略Ｕ字形に形成することにより、刀身Ｓ１の起立姿勢に関わらず、刃先や峰が刀剣受け部２３の内壁面２３ａに直接接触することを防ぐことができる。これにより、刀身Ｓ１と刀剣受け部２３とが直接接触することによって互いが損傷することを防止できる。
【００２２】
本実施形態においては、ある程度Ｕ字形に形成した受け本体３１を刀剣受け部２３に差し込んで熱を加えることにより、その刀剣受け部２３の内壁面２３ａに受け本体３１をぴったりと適合させるようにしている。これにより、刀剣受け部２３の内壁面２３ａの幅や形状等が異なる場合にも容易に適応させることができる。
【００２３】
受け本体３１の内壁面３１ａには、シリコンやウレタン樹脂等により形成された所要厚みのシーラント３４が貼着されており、刀身Ｓ１の刃先や峰が受け本体３１の内壁面３１ａに直に接触しないようにしている。
これにより、刀剣掛け台２０に乗せ掛けて展示しているときに、刀身Ｓ１に錆びが発生することを防ぐことができるとともに、弾性も有していることから刀身Ｓ１の刃先や峰を傷めることを防止できる。
【００２４】
また、シーラント３４の内壁面３１ａへの貼着は、シーラント３４を交換可能な態様のものであり、例えばシーラント３４を接着することや両面テープにより貼り付けること等が含まれる。
すなわち、日本刀等の刀剣類を展示するとき、それらの刀剣の全部が研磨したばかりとは限らず、中には錆びた状態でも展示される場合が多々見られるが、錆びによっては、錆びがシーラント３４に剥離残存することもあり、シーラント３４を交換できるようにしておくことにより、次に展示する別の刀剣類に疵がついたり、錆びが移ることを防止できる。
なお、シーラント３４は、内壁面３１ａの全域を被覆するように貼着してもよいが、刃先や峰が当接すると想定される部分だけに貼着してもよい。例えば、内周壁面３１ａの底部の所要の領域等である。
【００２５】
紐連結片３２，３２は、後述する止着固定用紐Ｈの両端部を連結するためのものであり、互いに縦板２２を挟む間隔にしかつ互いに対向して突設された挟持片部３２ａ，３２ａと、この挟持片部３２ａ，３２ａとほぼ直交して外側に折曲形成された連結片部３２ｂ，３２ｂとからなる。
【００２６】
連結片部３２ｂ，３２ｂを上下に二分する位置には、これの外縁部から挟持片部３２ａ，３２ａにかけて紐係止溝３２ｃ，３２ｃが形成されている。
この紐係止溝３２ｃ，３２ｃに、止着固定用紐Ｈの両端部に形成した結び目Ｈａ，Ｈａ近傍を外縁部から差し込んで係止連結するようになっている。
なお、紐係止溝３２ｃ，３２ｃに代えて、止着固定用紐Ｈを差し込める大きさの止着固定用紐連結孔（図示しない）を形成してもよい。いずれにしても、止着固定用紐Ｈの両端部を連結できるものであればよい。
【００２７】
紐ガイド片３３，３３は、上記した連結片部３２ａ，３２ａに連結された止着固定用紐Ｈの中間部を挿通ガイドするためのものであり、上記した紐連結片部３２，３２と同じく、互いに縦板２２を挟む間隔にして突設された挟持片部３３ａ，３３ａと、この挟持片部３３ａ，３３ａと直交して折曲形成されたガイド片部３３ｂ，３３ｂとからなる。
【００２８】
ガイド片部３３ｂ，３３ｂを上下に二分する位置には、挟持片部３３ａ，３３ａから外縁部にかけて紐挿通溝３３ｃ，３３ｃが形成されている。なお、紐挿通溝３３ｃ，３３ｃに代えて、止着固定用紐Ｈを差し込める大きさの止着固定用紐連結孔（図示しない）を形成してもよいことは、上記したとおりである。
【００２９】
本実施形態において示す上記した紐連結片３２，３２と紐ガイド片３３，３３は、受け本体３１の中心軸線Ｏ１を挟む対象位置に配設したものを例として示しているが、縦板２２の刀剣受け部２３近傍の形状を勘案して上下に変位させて形成してもよい。換言すると、中心軸線Ｏ１を挟む非対象位置に配設することができる。
【００３０】
刀身当て６０は、刀剣Ｓの刀身Ｓ１に当接して止着するための刀剣当接片部であり、刀身Ｓ１の刃先又は峰に安定して当接するように、図５に示すように、側面視において「く」字形に形成されかつ所要の長さにした基板６１と、この上面６０ａに、止着固定用紐Ｈを挿通するための２つの止着固定用紐挿通部６２，６２が下向き円弧形にして一体に突設されているものである。
このような刀身当て６０を採用することにより、刀身Ｓ１のより安定した止着を行なうことができる。
また、基板６１の刀身Ｓ１との当接面には、シリコンやウレタン樹脂等により形成された所要厚みのシーラント３４が交換可能に貼着されていることは、上記したシーラント３４と同様である。
【００３１】
本実施形態において「止着」とは、例えば地震等の振動が刀剣掛け台２０に作用するときにも、受け本体３１に対する刀身Ｓ１の起立姿勢が保たれるように止め着けることである。換言すると、刀身Ｓ１の起立姿勢が保たれるように押止することである。
【００３２】
図６は、刀身当てと紐ストッパとを止着固定用紐に挿通した様子を示す平面図である。
止着固定用紐Ｈは、刀身Ｓ１を受け本体３１に止着するのに十分な長さに形成されており、これをほぼ二分する長さ位置で折り返すとともに、これに上記した刀身当て６０と紐ストッパ７０とを挿通させて使用するようにしている。
【００３３】
紐ストッパ７０は市販されている公知のものであるが、その概略構造を説明すると、周壁７１ａに紐通し孔７２，７２を形成しかつ一端を閉じた円筒ケース７１内に、図示しないスプリングと、そのスプリングを圧縮するようにして、紐通し孔７２，７２と同じ直径の紐通し孔（図示しない）形成した円柱形の紐係止部材７４を収容した構成のものである。
【００３４】
円筒ケース７１と紐係止部材７４双方の紐通し孔が互いに一致するように、紐係止部材７４によってスプリングを圧縮しておき、止着固定用紐Ｈを通した後にスプリングへの圧縮を解除すると紐通し孔どうしのずれによって止着固定用紐Ｈを係止でき、これにより止着固定用紐Ｈの有効長さを長短調整するようにしている。
【００３５】
以上の構成からなる刀剣止着具Ａ１の使用態様について説明する。
まず、受け本体３１を刀剣受け部２３に装着し、例えば図示しないドライヤーによって受け本体３１を加熱し、刀剣受け部２３の内壁面２３ａに沿った形に成形する。
【００３６】
図６に示すように、長さをほぼ二分する位置で折り返した止着固定用紐Ｈの両開放端部から、紐ストッパー７０、刀身当て６０の順序で挿通させ、それら両開放端部に結び目Ｈａ，Ｈａを設ける。
【００３７】
止着固定用紐Ｈの結び目Ｈａ，Ｈａを紐連結片３２，３２の紐係止溝３２ｃ，３２ｃに連結係止するとともに、刀身Ｓ１の刃先又は峰を受け本体３１のシーラント３４に当接させて所望の姿勢に保持しておく。
そして、峰又は刃先に刀身当て６０の下面を当てながら、止着固定用紐Ｈの折返し部分寄りを紐ガイド片３３，３３の紐挿通溝３３ｃ，３３ｃに係入し、この係入部分から折返し部分側を刀剣受け部２３近傍の縦板２２に係止させ、この係止状態を維持するように紐ストッパ７０によって緊縛固定する。
これにより、刀身Ｓ１をしっかりと刀剣掛け台に止着して、たとえ振動等が刀剣掛け台に作用するときにも、刀剣の倒れや脱落を防いで、刀剣への傷与や破損を防止できるようになる。
【００３８】
本実施形態に係る刀剣止着具Ａ１によれば、次の各効果を得ることができる。
・所望の起立姿勢にした刀身Ｓ１を受け本体３１に止着するとともに、刀剣受け部２３にしっかりと固定することができ、たとえ振動等が刀剣掛け台２０に作用するときにも、刀身Ｓ１の倒れや脱落を防ぐことができる。
・また、刀身Ｓ１の倒れや脱落を防ぐことができることから、刀身Ｓ１への傷与や破損を防止できる。
・受け本体３１を熱可塑性樹脂で形成しているので、ドライヤー等で受け本体１１を加熱して、刀剣受け部２３の内壁面２３ａに沿った形に成形することができ、刀剣受け部２３にぴったりと装着させることができる。従って、異なる形態の刀剣受け部であっても、容易に対応することができる。
【００３９】
次に、本発明の第二の実施形態に係る刀剣止着具について、図７を参照して説明する。図７（Ａ）は、本発明の第二の実施形態に係る刀剣止着具Ａ２の側面図、（Ｂ）は、その正面図である。
【００４０】
本発明の第二の実施形態に係る刀剣止着具Ａ２は、上記した刀剣受け部２３に載せ掛ける刀身Ｓ１を受ける刀剣受体８０と、この刀剣受体８０を縦板２２に固定するための受体固定手段８１と、その刀剣受体８０に刀身Ｓ１を止着するための刀身止着手段８２とを一体的に形成したものであり、例えば塩化ビニール等の熱可塑性樹脂により一体に形成したものである。
【００４１】
刀剣受体８０は、上記した刀剣受け部２３の内周壁面２３ａの形状に一致した側面視において略Ｕ字形にし、かつ、縦板２２の厚みとほぼ一致する幅Ｗ３にして形成されている。
刀剣受体８０の内壁面８０ａには、シリコンやウレタン樹脂等により形成された所要厚みのシーラント３４が貼着されている。
【００４２】
受体固定手段８１は、互いに縦板２２を挟持する間隔にして刀剣受体８０の開放端部に突設された二組の挟持片部８３，８３、８３，８３からなる。
挟持片部８３，８３は、これらの弾性変形力によって縦板２２を挟持している。
【００４３】
刀身止着手段８２は、基端部を刀剣受体８０の一方の開放端部に連結した側面視上下逆向きのＪ字形に形成した支持脚８４と、この支持脚８４の開放端部に形成された刀身当て８５とからなる。
刀身当て８５は、刀身Ｓ１の刃先又は峰に安定して当接するように、側面視において「く」字形に形成されかつ所要の長さにした板材である。
なお、このような構成の刀剣止着具Ａ２は、刀身のサイズに合わせて複数種類用意して、対応する。
【００４４】
なお、本発明は上述した実施形態に限るものではなく、次のような変形実施が可能である。
上述した実施形態においては、ある程度Ｕ字形に形成した受け本体３１を刀剣受け部２３に差し込んで熱を加えることにより、その刀剣受け部２３の内壁面２３ａに受け本体３１をぴったりと適合させる例について説明したが、刀剣受け部２３の形態に合わせて予め成形しておくようにしてもよい。この場合、熱可塑性樹脂に限らず、他の合成樹脂や金属を採用できる。
【００４５】
刀剣受け部２３に差し込んだ受け本体１１を加熱成形する際、図８（Ａ）〜（Ｄ）に示す変形防止部材８０を刀剣受体３０に装着しておくと、紐連結片３２，３２及び紐ガイド片３３，３３への加熱を回避して、それらの変形を防止できる。
【００４６】
図８（Ａ）は、変形防止部材８０の側面図、（Ｂ）は、その正面図、（Ｃ）は、変形防止部材９０を刀剣受体３０に装着した状態を示す側面図、（Ｄ）は、その正面図である。
変形防止部材８０は、受け本体３１の幅Ｗ３に一致する基部９１と、これの両端部を、紐連結片３２，３２、紐ガイド片３３，３３の連結片部３２ａ，挟持片部３３ａに沿うように折り曲げた連結部９２と、この連結部９２の開放端部側を連結片部３２ｂ、ガイド片部３３ｂに沿うように折り曲げるとともに、連結片部３２ｂ、ガイド片部３３ｂの他面を覆う被覆片９３を一体に形成したものである。
【００４７】
上述した実施形態においては、止着固定用紐Ｈを、これをほぼ二分する長さ位置で折り返して使用する態様のものを例として説明したが、二本の止着固定用紐を同等の機能を発揮するように使用してもよいことは勿論である。
【符号の説明】
【００４８】
２０          刀剣掛け台
２２          縦板
２３          刀剣受け部
３０          刀剣受体
３２          紐連結片
３３          紐ガイド片
３４          シーラント
４０          受体固定手段
５０          刀身止着手段
６０          刀身当て（刀剣当接片部）
７０          紐ストッパ
Ａ１，Ａ２    刀剣止着具
Ｓ            刀剣
Ｓ１          刀身
Ｈ            止着固定用紐
【図１】
2011245219.tif 000003
【図２】
2011245219.tif 000004
【図３】
2011245219.tif 000005
【図４】
2011245219.tif 000006
【図５】
2011245219.tif 000007
【図６】
2011245219.tif 000008
【図７】
2011245219.tif 000009
【図８】
2011245219.tif 000010
【図９】
2011245219.tif 000011